(57)【要約】      （修正有）【課題】例えば、上端面の凹部に高い磁力が得られる強磁マグネット、および、強磁マグネットの凹部に高い磁力が得られることで、ロック手段のロック力が増大されても、支障なく繋ぎ止め部材のロック解除を行える盗難防止タグ用ロック解除具を提供する。【解決手段】盗難防止タグのロック手段１４を、強磁マグネット２６のうち、磁束密度が高まる凹部２６ａに挿入する。柱形状の強磁マグネットの上端面に凹部を形成すれば、リング状磁石３１の磁束絞り効果により、凹部の磁束密度が高まる。これにより、仮にロック手段による繋ぎ止め部材のロック力を増大した盗難防止タグ１０Ａであっても、被盗難防止物に盗難防止タグを繋ぎ止める繋ぎ止め部材のロック解除を支障なく行うことができる。【選択図】図１
0003156716.tif 000002
【実用新案登録請求の範囲】
【請求項１】
上端面に磁束密度を高める凹部が形成された柱形状の強磁マグネット。
【請求項２】
前記凹部は、上段の開口面積より下段の開口面積が小さい２段式の凹部である請求項１に記載の強磁マグネット。
【請求項３】
盗難防止タグを被盗難防止物に繋ぎ止める繋ぎ止め部材に対してのロック手段によるロック状態を、強磁マグネットの磁力の作用で解除する盗難防止タグ用ロック解除具において、
前記強磁マグネットは、上端面に、前記ロック手段が挿入可能で、かつ磁束密度を高める凹部が形成された柱形状のものである盗難防止タグ用ロック解除具。
【請求項４】
前記強磁マグネットは、
該強磁マグネットの軸線回りに、複数の板状磁石片が、該軸線の一帯に中心部空間を形成して、かつ前記各板状磁石片の外周部を同一極に揃えて所定間隔で環状に配置され、
該各板状磁石片の外周部の上端面に、該上端面と対向する下端面に、該各板状磁石片の外周部の磁極と異なる磁極が配置されたリング状磁石片が載置され、
前記強磁マグネットの中心部空間に小柱状磁石片が収納され、
前記凹部の磁束密度が８５００ガウス以上となるもので、
前記強磁マグネットは、鉄からなるケーシングに収納され、
該ケーシングは、合成樹脂またはゴムからなるカバーにより被覆された請求項３に記載の盗難防止タグ用ロック解除具。
【考案の詳細な説明】
【技術分野】
【０００１】
この考案は強磁マグネットおよびこれを利用した盗難防止タグ用ロック解除具、詳しくは商品の盗難を防止するため、商品に盗難防止タグを繋ぎ止める繋ぎ止め部材のロック状態を磁力の作用により解除する盗難防止タグ用ロック解除具に適用可能な強磁マグネットおよびこれを利用した盗難防止タグ用ロック解除具に関する。
【背景技術】
【０００２】
近年、各種の小売店にあっては、商品（被盗難防止物）の盗難を防ぐため、陳列した商品に１個ずつ盗難防止タグ（荷札、下げ札）を取り付ける店が増えている。盗難防止タグは、タグ本体に元部が固定されたワイヤ（繋ぎ止め部材）を商品に繋ぎ止め、ワイヤの先端部をタグ本体に設けられたロック手段によりロックする構成を有している。例えばロック手段は、上板にワイヤの先端部の挿入孔が形成され、上方へ向かって徐々に小径化し、かつ下端の開口が蓋止めされた円筒ケーシングを本体とする。円筒ケーシング内には、ワイヤの先端部を挟持する３個のスチール製のボールと、各ボールを一括して押し上げる鉄製のリング体と、リング体を常時各ボール側へ付勢するコイルばねとが、下方へ向かって順次収納されている。
【０００３】
このような盗難防止タグのロック状態を磁力の作用により解除する盗難防止タグ用ロック解除具として、例えば図５に示す特許文献１が知られている。
図５に示すように、盗難防止タグ用ロック解除具１００は、合成樹脂からなる略半球状のケーシング１０１の中央上部に、盗難防止用タグ１０２のロック手段１０３が収納されるポケットＰ１が形成されている。ケーシング１０１の内部空間でポケットＰ１の下部には、ポケットＰ１の底壁と同一直径の厚肉な円板形状のマグネット１０４が内蔵されている。そのため、ポケットＰ１に、上方からロック手段１０３の外ケーシング１０５を挿入することで、マグネット１０４の磁力により、鉄製のリング体１０６が、コイルばね１０７のばね力に抗して蓋１０８側へ移動し、３つのボール１０９によるワイヤ１１０のロック状態が解除される。
【特許文献１】特開２００８−２０４２１８号公報
【考案の開示】
【考案が解決しようとする課題】
【０００４】
しかしながら、このような特許文献１に記載の盗難防止タグ用ロック解除具１００では、ワイヤ１１０のロック状態を解除するマグネット１０４が、ポケットＰ１の底壁と同一直径の小径な円板状磁石であったので、ロック解除用の磁束密度が小さかった。そのため、ばね力が大きいコイルばね１０７を使用し、ロック手段１０３によるワイヤ１１０のロック力を高めようとした場合、ワイヤ１１０のロック状態を解除できないおそれがあった。
【０００５】
そこで、考案者は鋭意研究の結果、マグネットとして、柱形状のマグネットの上端面に、外ケーシングの下端部が挿入される凹部を形成した強磁マグネットを採用すれば、強磁マグネットの凹部の周囲にリング磁石が現出され、このリング磁石の磁束絞り効果により強磁マグネットの凹部内での磁力が高まり、仮にコイルばねのばね力の増強に伴うワイヤのロック力の増大がなされても、ロック解除具により支障なくワイヤのロック解除を行えることを知見し、この考案を完成させた。
【０００６】
この考案は、上端面の凹部に高い磁力が得られる強磁マグネットを提供することを、その目的としている。
また、この考案は、盗難防止タグのロック手段を解除する高い磁力が得られ、これによりロック手段のロック力が増大されても、支障なく繋ぎ止め部材のロック状態を解除することができる盗難防止タグ用ロック解除具を提供することを、その目的としている。
【課題を解決するための手段】
【０００７】
請求項１に記載の考案は、上端面に磁束密度を高める凹部が形成された柱形状の強磁マグネットである。
請求項１に記載の考案によれば、柱形状の強磁マグネットの上端面の中央部に凹部を形成すれば、凹部の周囲にリング磁石が現出され、このリング磁石の磁束絞り効果により、凹部の磁束密度を例えば８５００ガウス以上まで高めることができる。
【０００８】
強磁マグネットの用途としては、例えばマグネットロック解除方式のロック手段を有する盗難防止タグ用ロック解除具が挙げられる。
強磁マグネットの素材としては、ネオジム、強力フェライト、アルミ・ニッケル・コバルトの合金などを採用することができる。このうち、既存の磁性体で最も高密度磁束のネオジウムが好ましい。強磁マグネットの表面には、腐食を防止するため、ニッケルメッキ、ニッケル・クロムメッキなどによりメッキ仕上げすることができる。
強磁マグネットの形状は、柱形状であれば任意である。例えば、円柱形状、角柱形状などを採用することができる。
強磁マグネットの上端面のうち、凹部を除く部分の磁束密度は、８０００ガウス以上が好ましい。これにより、凹部の磁束密度が８５００ガウス以上に到達し易い。
【０００９】
強磁マグネットの凹部の開口形状としては、例えば円形状、楕円形状、三角形以上の多角形状を採用することができる。その他、任意形状でもよい。
凹部の深さは、柱形状の強磁マグネットの高さの２０〜２５％である。２０％未満ではワークが着脱不可能となる。また、２５％を超えれば、凹部の磁力低下が発生する。凹部の好ましい深さは、２２〜２４％である。この範囲であれば、凹部の磁束密度の上昇が図れるというさらに好適な効果が得られる。
凹部の開口面積は、強磁マグネットの上端面の面積の２５〜３０％である。２５％未満ではワークが着脱不可能となる。また、３０％を超えれば、凹部の磁力低下が発生する。凹部の好ましい開口面積は、マグネットの上端面の面積の２７〜２９％である。この範囲であれば、凹部の磁束密度の上昇が図れるというさらに好適な効果が得られる。
強磁マグネットは専用のケーシングに収納させた方が好ましい。ケーシングの素材としては、強磁マグネットの磁力を不要な方向へ放出させない鉄などの磁性体を採用することができる。ケーシングの形状は任意である。例えばドーム形状、立方箱形状、直方箱形状などを採用することができる。
【００１０】
請求項２に記載の考案は、前記凹部は、上段の開口面積より下段の開口面積が小さい２段式の凹部である請求項１に記載の強磁マグネットである。
【００１１】
請求項２に記載の考案によれば、強磁マグネットの上端面の凹部を上下２段にすることで、凹部の開口面積が大きい部分には大きいワークを当接し、また凹部の開口面積が小さい下段部分には小さいワークを当接することができる。これにより、大きさが異なる２つのワークに対して、凹部の強磁力をそれぞれ作用させることができる。
上段の開口部分と下段の開口部分との開口面積の比率は任意である。
ここでいうワークとは、強磁マグネットの磁力の作用を受ける任意の部材である。
【００１２】
請求項３に記載の考案は、盗難防止タグを被盗難防止物に繋ぎ止める繋ぎ止め部材に対してのロック手段によるロック状態を、強磁マグネットの磁力の作用で解除する盗難防止タグ用ロック解除具において、前記強磁マグネットは、上端面に、前記ロック手段が挿入可能で、かつ磁束密度を高める凹部が形成された柱形状のものである盗難防止タグ用ロック解除具である。
【００１３】
請求項３に記載の考案によれば、盗難防止タグのロック手段を、強磁マグネットのうち、高い磁束密度（例えば８５００ガウス以上）となる凹部に挿入する。柱形状の強磁マグネットの上端面に凹部を形成すれば、リング磁石の磁束絞り効果により、その凹部の磁束密度が高まる。これにより、仮に盗難防止タグがロック手段による繋ぎ止め部材のロック力を増大したものであっても、繋ぎ止め部材により被盗難防止物に繋ぎ止められた盗難防止タグのロック状態の解除（繋ぎ止め部材のロック状態の解除）を支障なく行える。
【００１４】
被盗難防止物の品種は任意である。例えば各種の日用品（衣服、家電品、食品など）、ゴルフのクラブなどの各種のスポーツ用品、各種の事務用品、各種の貴金属などである。
盗難防止タグの種類は任意である。例えば特定周波数の電波に反応することにより、外部に設置された警報器から警報を発生させる警報部材を有したタグ本体を、繋ぎ止め部材により被盗難防止物に繋ぎ止めてロック手段によりロックするものを採用してもよい。
【００１５】
繋ぎ止め部材としては、例えば金属製のワイヤ（例えば鋼線、ピアノ線など）を採用することができる。繋ぎ止め部材の直径は任意である。
ロック手段は、繋ぎ止め部材を、磁力の作用でロック解除可能にロックするものである。例えば、タグ本体に元部が固定された繋ぎ止め部材（ワイヤなど）を被盗難防止物に巻き付け、その後、繋ぎ止め部材の先端部をタグ本体に掛止する。ロック手段における繋ぎ止め部材のロック機構は任意である。例えば、ばね力を利用してクランパ（把持部材）により繋ぎ止め部材の先端部を挟持するタイプでもよい。
盗難防止タグ用ロック解除具とは、ロック手段による繋ぎ止め部材のロック状態を、強磁マグネットの磁力の作用によって解除する器具である。繋ぎ止め部材のロック解除機構は、磁力を利用したものであれば任意である。例えば、ばね力により繋ぎ止め部材を挟持している把持部材を、強磁マグネットの磁力の作用により、把持部材をロック解除方向へ移動させるものでもよい。
【００１６】
請求項４に記載の考案は、前記強磁マグネットは、該強磁マグネットの軸線回りに、複数の板状磁石片が、該軸線の一帯に中心部空間を形成して、かつ前記各板状磁石片の外周部を同一極に揃えて所定間隔で環状に配置され、該各板状磁石片の外周部の上端面に、該上端面と対向する下端面に、該各板状磁石片の外周部の磁極と異なる磁極が配置されたリング状磁石片が載置され、前記強磁マグネットの中心部空間に小柱状磁石片が収納され、前記凹部の磁束密度が８５００ガウス以上となるもので、前記強磁マグネットは、鉄からなるケーシングに収納され、該ケーシングは、合成樹脂またはゴムからなるカバーにより被覆された請求項３に記載の盗難防止タグ用ロック解除具である。
【００１７】
請求項４に記載の考案によれば、強磁マグネットとして、その軸線回りに所定間隔で環状に配置された複数の板状磁石片と、各板状磁石片の外周部の上端面に配置されたリング状磁石片と、強磁マグネットの中心部空間に収納された小柱状磁石片とから構成されものを採用した。これにより、各磁石片の同極同士が反発し、強磁マグネットの上端面の凹部の磁束密度が、リング磁石片の磁束絞り効果も伴って、８５００ガウス以上まで高まる。また、この強磁マグネットを、鉄からなるケーシングと、合成樹脂またはゴムからなるカバーとにより、順次、被覆するように構成したので、強磁マグネットの上面を除いた面から磁束が放出されないシールド効果が得られる。
【００１８】
板状磁石片は、平面視して野球のホームベースに似た六角柱形状の磁石である。具体的な板状磁石片の平面視した形状は、例えば、ホームベースの長辺と平行な辺により、ホームベースの鋭角な角部をカットした六角形状である。
板状磁石片は、強磁マグネットの軸線回りに、例えば、１８０°間隔で２つ、１２０°間隔で３つ、９０°間隔で４つ、７２°間隔で５つ、６０°間隔で６つ、４５°間隔で８つ、環状に配置することができる。
小柱状磁石片としては、円柱形状、三角柱形状、四角柱形状、八角柱形状などの多角形状が挙げられる。
強磁マグネットの凹部の磁束密度が８５００ガウス未満では、盗難防止タグのロック状態を解除し難い。強磁マグネットの凹部の好ましい磁束密度は、８５００〜１１０００ガウスである。この範囲であれば、市販されているほぼ全ての盗難防止タグの解除が可能になるというさらに好適な効果が得られる。
【００１９】
ケーシングの形状としては、例えば、円筒形状、多角筒形状（例えば八角筒形状）などを採用することができる。
カバーの上端開口部には、上方より強磁マグネットの凹部を覆う平面視して円形状の凹部カバー部を設けた方が好ましい。
カバーの形状は、ケーシングを覆うことができる形状であれば任意である。
【考案の効果】
【００２０】
請求項１に記載の考案によれば、柱形状の強磁マグネットの上端面の中央部に凹部を形成すれば、凹部の周囲にリング磁石が現出され、このリング磁石の磁束絞り効果によって、凹部の磁束密度を例えば８５００ガウス以上まで高めることができる。
【００２１】
請求項２に記載の考案によれば、強磁マグネットの上端面の凹部を上下２段にすることで、凹部に収納され、かつ大きさが異なる２つのワークに対して、凹部の強磁力を作用させることができる。
【００２２】
請求項３に記載の考案によれば、盗難防止タグのロック手段を、柱形状の強磁マグネットのうち、リング磁石の磁束絞り効果で磁束密度が高められた凹部に挿入することにより、仮に盗難防止タグが、ロック手段による繋ぎ止め部材のロック力を増大したものであっても、繋ぎ止め部材のロック状態の解除を支障なく行うことができる。
【００２３】
また、請求項４に記載の考案によれば、強磁マグネットとして、強磁マグネットの軸線回りに所定間隔で配置された複数の板状磁石片と、各板状磁石片の外周部の上端面に配置されたリング状磁石片と、強磁マグネットの中心部空間に収納された小柱状磁石片とから構成されたものを採用したので、各磁石片の同極同士が反発し、かつリング状磁石片の磁束絞り効果によって凹部の磁力の密集度を８５００ガウス以上とすることができる。また、この強磁マグネットを、鉄からなるケーシングに収納し、かつケーシングを合成樹脂またはゴムからなるカバーにより被覆するように構成したので、強磁マグネットの上面を除いた面から磁束が放出されないシールド効果が得られる。
【図面の簡単な説明】
【００２４】
【図１】この考案の実施例に係る盗難防止タグ用ロック解除具の使用状態の縦断面図である。
【図２】この考案の実施例に係る盗難防止タグ用ロック解除具によりロック解除される盗難防止タグの斜視図である。
【図３】この考案の実施例に係る盗難防止タグ用ロック解除具によりロック解除される盗難防止タグの縦断面図である。
【図４】この考案の実施例に係る盗難防止タグ用ロック解除具に組み込まれた強磁マグネットの分解斜視図である。
【図５】従来手段に係る盗難防止タグ用ロック解除具の一部断面図を含む正面図である。
【考案を実施するための最良の形態】
【００２５】
以下、この考案の実施例を具体的に説明する。
【実施例】
【００２６】
図１において、１０はこの考案の実施例１に係る盗難防止タグ用ロック解除具で、この盗難防止タグ用ロック解除具１０は、タグ本体１１をワイヤ（繋ぎ止め部材）１３により商品（被盗難防止物）に繋ぎ止める盗難防止タグ１０Ａのロック状態（具体的にはワイヤ１３のロック状態）を、磁力の作用によって解除する器具である。
【００２７】
まず、図２および図３を参照して、盗難防止タグ１０Ａを詳細に説明する。
盗難防止タグ１０Ａは、合成樹脂製で楕円板形状のタグ本体１１と、タグ本体１１の一端部上に元部が連結され、ループを形成することで商品を繋ぎ止めるワイヤ１３と、タグ本体１１の一端部の裏側に突設され、ワイヤ１３の先端部の固定子１８をロック解除可能にロックするロック手段１４と、タグ本体１１の内部に形成されたポケットＰに収納され、外部からの特定周波数の電磁波に反応して外部に設置された警報器から警報を発生させる警報部材１６を備えている。
【００２８】
ロック手段１４は、開口が下向きで、かつ奥板がタグ本体１１の一端部と一体化した円筒容器状の外ケーシング１７を有している。外ケーシング１７の奥板（上板）の中央部には、ワイヤ１３の先端部の挿入孔１７ａが形成されている。外ケーシング１７の内部空間には、上方へ除々に断面積が小さくなり、かつ奥板の中央部に挿入孔１７ａと連通する別の挿入孔１９ａが形成された下向き容器状の内ケーシング１９が収納されている。内ケーシング１９の内部空間には、その奥側から順に、３個の小径なスチール製のボール２０と、各ボール２０を一括して押し上げる鉄製のリング体２１と、リング体２１を常時上方へ付勢するコイルばね２２とが収納されている。また、両ケーシング１７，１９の下向きの開口部は、蓋２３により密封されている。
【００２９】
タグ使用時には、商品にワイヤ１３を掛け回した後、ワイヤ１３の固定子１８を、挿入孔１７ａ、１９ａから内ケーシング１９へ挿入する。これにより、固定子１８は３個のボール２０間に押し込まれる。しかも、各ボール２０は、リング体２１を介して、コイルばね２２のばね力により、上方へ向かって先細りの内ケーシング１９の内面に沿って押し上げられる。その結果、各ボール２０が固定子１８の外周面に大きな力で押し付けられ、ワイヤ１３がロックされる。
【００３０】
次に、図１および図４を参照して、盗難防止タグ用ロック解除具１０を説明する。
図１に示すように、盗難防止タグ用ロック解除具１０は、上端面にロック手段１４が挿入され、かつ磁束密度が８５００ガウス以上、例えば８５００〜１１０００ガウスとなる凹部２６ａが形成された柱形状のネオジムからなる強磁マグネット２６を有している。凹部２６ａは、上段の開口面積より下段の開口面積が小さい２段式の凹部である。
図１および図４に示すように、強磁マグネット２６は、強磁マグネット２６の軸線回りに、軸線の一帯に中心部空間を形成して、かつ各外周部を同一極（Ｎ極）に揃えて４５°間隔で環状に配置された８つの板状磁石片３０を本体としている（各板状磁石片３０の内周部はＳ極）。各板状磁石片３０の外周部の上端面のみには、これらの上端面と対向する下端面の磁極がＳ極のリング状磁石片３１が載置されている。また、強磁マグネット２６の中心部空間には、小柱状磁石片３２が収納されている。
【００３１】
各板状磁石片３０は、平面視して野球のホームベースに似た六角柱形状の厚肉な磁石である。具体的な板状磁石片３０の形状は、平面視してホームベースの長辺と平行な短辺により、ホームベースの鋭角な角部がカットされた台形状である。各板状磁石片３０は、隣接する板状磁石片３０の斜面同士を接合面とし、平面視して８枚の花弁状（放射状）に連結されている。その結果、連結後の各板状磁石片３０の内側空間も平面視して八角形となる。
この各板状磁石片３０の内側空間には、平面視して八角形で、上部がＳ極で下部がＮ極の小柱状磁石片３２が収納されている。小柱状磁石片３２の高さは、板状磁石片３０の高さより４ｍｍ短い。そのため、各板状磁石片３０と小柱状磁石片３２とは、後述する中底板の平坦な上面に載置されることで、強磁マグネット２６の上端面の中央部に、深さ４ｍｍの凹部２６ａが形成される。凹部２６ａの深さは、柱形状の強磁マグネット２６の高さの２４％である。また、凹部２６ａの開口面積は、強磁マグネット２６の上端面の２５％である。強磁マグネット２６の凹部を除く上端面の磁束密度は８０００ガウスである。この凹部２６ａには、収納部１４の外ケーシング１７の下部が収納される。
【００３２】
また、各板状磁石片３０のＮ極の外周部の上端面のみには、これらの上端面と対向する下端面の磁極がＳ極のリング状磁石片３１が載置されている。リング状磁石片３１の内径は、平面視して強磁マグネット２６の軸線から各板状磁石片３０のＮ極部分の内辺までの最短距離と同じである。また、リング状磁石片３１の外径は、平面視して強磁マグネット２６の軸線から各板状磁石片３０のＮ極部分の外辺までの最長距離と同じである。各板状磁石片３０と小柱状磁石片３２とリング状磁石片３１とは、接着剤により接着されている。
【００３３】
図１に示すように、こうして組み立てられた強磁マグネット２６は、鉄（磁性体）からなる円筒ケーシング３３の上部空間に、樹脂４０を介して、円筒ケーシング３３の内部空間を上下に仕切る前記中底板３４に載置される。円筒ケーシング３３の上端部には、リング状磁石片３１を上方から覆う内フランジ３３ａが一体形成されている。
また、円筒ケーシング３３は、合成樹脂またはゴムからなる円筒形状のカバー３５により覆われている。カバー３５の上端開口部は、上方より前記各板状磁石片３０のうちのＳ極の内周部と、前記凹部２６ａとを一連に覆う平面視して円形状の薄膜の凹部カバー部３５ａにより塞がれている。
【００３４】
次に、この発明の実施例１に係る盗難防止タグ用ロック解除具１０の使用方法を説明する。
図１に示すように、盗難防止タグ１０Ａのロック解除時には、盗難防止タグ１０Ａのタグ本体１１に突設されたロック手段１４の外ケーシング１７を、凹部カバー部３５ａを介して、凹部２６ａに挿入する。このとき、強磁マグネット２６の磁力により、鉄製のリング体２１が、コイルばね２２のばね力に抗して蓋２３側へ移動し、ワイヤ１３がロック解除される。
【００３５】
このように、柱形状のマグネット２６の上端面（８０００ガウス）の中央部には、凹部２６ａが形成されている。そのため、リング状磁石片３１の磁束絞り効果により、凹部２６ａの磁束密度が８５００ガウスまで高まる。しかも、強磁マグネット２６として、その軸線回りに４５°間隔で環状に配置された８つの板状磁石片３０と、各板状磁石片３０の外周部の上端面に配置されたリング状磁石片３１と、強磁マグネット２６の中心部空間に収納された小柱状磁石片３２とを組み合わせたものを採用している。そのため、凹部２６ａの磁束密度は、８５００ガウスまで達する。これは、これらの磁石片３０〜３２が組合わされることで、各磁石片３０〜３２の同極同士が反発し、凹部２６ａの磁束密度がさらに高まるためである。その結果、ロック手段１４によるワイヤ１３のロック力が増大された盗難防止タグ１０Ａであっても、商品に盗難防止タグ１０Ａを繋ぎ止めるワイヤ１３のロック状態の解除を支障なく行うことができる。
また、凹部２６ａは、上段の開口面積より下段の開口面積が小さい２段式の凹部となっている。そのため、開口面積が大きい上段部分に、大径なロック手段（図示せず）を収納することができ、また開口面積が小さい下段の凹部に小径なロック手段１４を収納することができる。その結果、大きさが異なる２つのロック手段に対して、凹部２６ａの強磁力を作用させることができる。
【符号の説明】
【００３６】
１０  盗難防止タグ用ロック解除具、
１０Ａ  盗難防止タグ、
１３  ワイヤ（繋ぎ止め部材）、
１４  ロック手段、
２６  強磁マグネット、
２６ａ  凹部、
３０  板状磁石片、
３１  リング状磁石片、
３２  小柱状磁石片、
３３  円筒ケーシング（ケーシング）、
３５  カバー。
【図１】
0003156716.tif 000003
【図２】
0003156716.tif 000004
【図３】
0003156716.tif 000005
【図４】
0003156716.tif 000006
【図５】
0003156716.tif 000007